(57)【要約】【課題】ＶｏＩＰゲートウェイ装置において、機器障害などの要因により、マスタクロックを失っても、動的に他のクロックにマスタクロックを切替えて動作可能となり、システム内のゲートウェイを常に一つのクロックに同期して動作可能とする。【解決手段】ＶｏＩＰゲートウェイ装置は、固有の周波数の正弦波をクロック線に出力する正弦波送信部と、自身が出力する固有の周波数の正弦波と外部のゲートウェイ装置が出力する各々のゲートウェイ装置における固有の周波数の正弦波を合成した合成信号をクロック線から受信する正弦波受信部とを有する。そして、正弦波受信部が受信した合成信号から、自身が出力する固有の周波数と各々のゲートウェイ装置における固有の周波数とから一意的なマスタクロックの周波数（例えば最も高い周波数）を定めて、ＰＢＸにマスタクロックに同期したデータ信号を送信する。【選択図】  図２
2017017632.tif 000002
【特許請求の範囲】
【請求項１】
ＩＰ網とＰＢＸ（Private Branch Exchange）とを接続するＶｏＩＰゲートウェイ装置であって、
固有の周波数の正弦波をクロック線に出力する正弦波送信部と、
自身が出力する固有の周波数の正弦波と外部のＶｏＩＰゲートウェイ装置が出力する各々のＶｏＩＰゲートウェイ装置における固有の周波数の正弦波を合成した合成信号をクロック線から受信する正弦波受信部とを有し、
前記正弦波受信部が受信した合成信号から、前記自身が出力する固有の周波数と各々のＶｏＩＰゲートウェイ装置における固有の周波数とから一意的なマスタクロックの周波数を定めて、前記ＰＢＸに前記マスタクロックに同期したデータ信号を送信することを特徴とするＶｏＩＰゲートウェイ装置。
【請求項２】
前記正弦波受信部が受信した合成信号から、前記自身が出力する固有の周波数と各々のＶｏＩＰゲートウェイ装置における固有の周波数とから、最も高い周波数をマスタクロックの周波数として定めることを特徴とする請求項１記載のＶｏＩＰゲートウェイ装置。
【請求項３】
前記正弦波受信部が受信した合成信号から、前記自身が出力する固有の周波数と各々のＶｏＩＰゲートウェイ装置における固有の周波数とから、最も低い周波数をマスタクロックの周波数として定めることを特徴とする請求項１記載のＶｏＩＰゲートウェイ装置。
【請求項４】
前記クロック線に接続されているＶｏＩＰゲートウェイ装置が全て同一のマスタクロックの周波数を定めることを特徴とする請求項１記載のＶｏＩＰゲートウェイ装置。
【請求項５】
前記正弦波受信部からの出力される合成信号を分離して、各々の周波数に対応する信号を生成する手段と、
前記各々の周波数に対応する信号を受信したか否かにより、前記正弦波受信部の異常を検出する手段を有し、
前記正弦波受信部の異常を検出する手段が前記正弦波受信部の異常を検出したときに、前記ＰＢＸへのデータ送受信をしないようにすることを特徴とする請求項１記載のＶｏＩＰゲートウェイ装置。
【請求項６】
前記正弦波受信部の異常を検出する手段が前記正弦波受信部の異常を検出したときに、前記ＰＢＸへのデータ送受信をしないようにするか否かのフラグを保持することを特徴とする請求項５記載のＶｏＩＰゲートウェイ装置。
【請求項７】
さらに、前記自身以外の周波数に対応する信号を受信したか否かにより、前記クロック線の異常を検出する手段を有することを特徴とする請求項５記載のＶｏＩＰゲートウェイ装置。
【請求項８】
前記クロック線の異常を検出する手段が前記クロック線の異常を検出したときに、前記ＰＢＸへのデータ送受信をしないようにするか否かのフラグを保持することを特徴とする請求項７記載のＶｏＩＰゲートウェイ装置。
【発明の詳細な説明】
【技術分野】
【０００１】
本発明は、ＶｏＩＰゲートウェイ装置に係り、特に、接続するＰＢＸに対して同期クロックを供給するＶｏＩＰゲートウェイ装置であって、複数台のＶｏＩＰゲートウェイ装置をＰＢＸに接続して、耐障害性を高めるのに好適なＶｏＩＰゲートウェイ装置に関する。
【背景技術】
【０００２】
ＶｏＩＰゲートウェイ装置は、ＩＰ（Internet Protocol）ネットワークとＩＳＤＮ（Integrated Services Digital Network）網などの既存電話網との間で中継を行う機器である。このようなＶｏＩＰゲートウェイ装置は、電話線から入力されるアナログ音声データをデジタルデータに変換し、ＩＰパケットに分割してＩＰネットワーク上に送信する。同時に、ＩＰネットワーク側から受け取ったＩＰパケットをアナログ音声に復元し、電話網へ送り出す機能を有する。
【０００３】
一方、企業内部などで使用される回線交換を行う機器であるＰＢＸ（Private Branch Exchange）は、ＩＳＤＮ網などに接続される場合は、網から同期クロックを受信するが、ＶｏＩＰゲートウェイ装置と接続する場合には、ＶｏＩＰゲートウェイ装置側で同期クロックを生成し、ＶｏＩＰゲートウェイ装置から供給される同期クロックを受信している。
【０００４】
ゲートウェイ装置がＰＢＸに同期クロックを供給する技術としては、例えば、特許文献１がある。特許文献１では、複数台のゲートウェイ装置の内、１台のゲートウェイ装置がマスタゲートウェイとなり、その他のゲートウェイ装置はマスタゲートウェイから送られたマスタクロックに同期して動作するスレーブゲートウェイとなる。そして、ＰＢＸはマスタゲートウェイから送信されたデータ信号からマスタクロックを抽出し、これに同期して動作する。この技術では、各ゲートウェイ装置及びＰＢＸが一つのクロックに同期して動作可能となる。
【先行技術文献】
【特許文献】
【０００５】
【特許文献１】特開２００７−２８１７３０号公報
【発明の概要】
【発明が解決しようとする課題】
【０００６】
上記特許文献１に記載されたシステムでは、マスタゲートウェイの機器故障にてスレーブゲートウェイがマスタクロックを受信しなくなると、各ゲートウェイが非同期となり、マスタゲートウェイの機器故障中はユーザの通話品質が悪化するため、耐障害性が低いという問題点があった。
【０００７】
本発明は、上記問題点を解決するためになされたもので、機器障害などの要因により、マスタクロックを失っても、動的に他のクロックにマスタクロックを切替えて動作し、システム内のゲートウェイを常に一つのクロックに同期して動作可能となるＶｏＩＰゲートウェイ装置を提供することを目的とする。
【課題を解決するための手段】
【０００８】
本発明のＶｏＩＰゲートウェイ装置は、ＩＰ網とＰＢＸとを接続するＶｏＩＰゲートウェイ装置であって、固有の周波数の正弦波をクロック線に出力する正弦波送信部と、自身が出力する固有の周波数の正弦波と外部のＶｏＩＰゲートウェイ装置が出力する各々のＶｏＩＰゲートウェイ装置における固有の周波数の正弦波を合成した合成信号をクロック線から受信する正弦波受信部とを有するものである。そして、正弦波受信部が受信した合成信号から、自身が出力する固有の周波数と各々のＶｏＩＰゲートウェイ装置における固有の周波数とから一意的なマスタクロックの周波数を定めて、ＰＢＸにマスタクロックに同期したデータ信号を送信する。
【０００９】
好ましくは、上記ＶｏＩＰゲートウェイ装置において、正弦波受信部が受信した合成信号から、自身が出力する固有の周波数と各々のＶｏＩＰゲートウェイ装置における固有の周波数とから、最も高い周波数をマスタクロックの周波数を定めるようにしたものである。
【００１０】
また、別の構成としては、上記ＶｏＩＰゲートウェイ装置において、正弦波受信部が受信した合成信号から、自身が出力する固有の周波数と各々のＶｏＩＰゲートウェイ装置における固有の周波数とから、最も低い周波数をマスタクロックの周波数を定めるようにしたものである。
【００１１】
本発明のＶｏＩＰゲートウェイ装置においては、クロック線に接続されているＶｏＩＰゲートウェイ装置が全て同一のマスタクロックの周波数を定めることになる。
【発明の効果】
【００１２】
本発明によれば、機器障害などの要因により、マスタクロックを失っても、動的に他のクロックにマスタクロックを切替えて動作し、システム内のＧＷを常に一つのクロックに同期して動作可能となるＶｏＩＰゲートウェイ装置を提供することができる。
【図面の簡単な説明】
【００１３】
【図１】一実施形態に係るＶｏＩＰゲートウェイ装置が用いられるシステム構成図である。
【図２】ゲートウェイの機能ブロック図である。
【図３】アナログフィルタ部によるフィルタリング処理を説明する図である。
【図４】マスタクロック選択部の機能ブロック図である。
【図５】ゲートウェイの構成情報の例を示す図である。
【図６】マスタクロック選択部で故障検出の処理を示すフローチャートである。
【図７】ゲートウェイのマスタクロック設定の処理を示すフローチャートである。
【図８】一実施形態に係るＶｏＩＰゲートウェイ装置が用いられるシステム構成において、ゲートウェイを追加した場合のシステム構成図である。
【発明を実施するための形態】
【００１４】
以下、本発明の一実施形態を、図１ないし図８を用いて説明する。
【００１５】
先ず、図１を用いて本発明の一実施形態に係るＶｏＩＰゲートウェイ装置が用いられるシステム構成について説明する。図１は、一実施形態に係るＶｏＩＰゲートウェイ装置が用いられるシステム構成図である。
【００１６】
ＶｏＩＰゲートウェイ装置が用いられるシステムは、ＰＢＸ１０に、電話機１２が接続されており、ＩＰ網５００上の電話端末と、ＰＢＸ１０に接続された電話端末と回線交換を行うようになっている。一方、ＩＰ網５００は、Ｅｔｈｅｒｎｅｔ（登録商標）回線５０１を介して、複数のＶｏＩＰゲートウェイ装置１０１、１０２、１０３（以下、単に「ゲートウェイ」ともいう）（図では、ＧＷ１、ＧＷ２、ＧＷ３と表記）が接続されており、ゲートウェイ１０１、１０２、１０３は、データ線５０２により、ＰＢＸ１０と接続されている。
【００１７】
一方、各ゲートウェイ１０１、１０２、１０３は、クロック線１０４で互いに接続されており、各ゲートウェイ１０１、１０２、１０３は、予め設定済みの異なる周波数のクロックを、クロック線１０４に送信することにより、クロック線１０４上で複数の周波数のクロック成分が合成される。この合成信号を各ゲートウェイ１０１、１０２、１０３が受信し、合成信号内の周波数が最も高い、又は、最も低いクロックを検知し、検知したクロックをマスタクロックとし、そのマスタクロックに従い、ＰＢＸ１０とのデータの送受信を行う。そして、ＰＢＸ１０には、ゲートウェイ１０１、１０２、１０３から、データ信号が入力されるが、ＰＢＸ１０は、この内の一つを優先順位にしたがって、データ信号のクロックを抽出して、それに同期して動作する。例えば、優先順位が、ゲートウェイ１０１＞ゲートウェイ１０２＞ゲートウェイ１０３のときには、ＰＢＸ１０は、ゲートウェイ１０１の出力するデータ信号からマスタクロックを抽出してこれに同期して動作する。これにより、マスタクロックの元となるゲートウェイが故障しても、動的に他のクロックにマスタクロックを切替えて動作する。本発明のゲートウェイでは、システム内の各ゲートウェイ１０１、１０２、１０３が常に同一のマスタクロックに同期して動作しているため、ＰＢＸでマスタクロックを抽出するゲートウェイが切替わっても、通話品質を損なうことなく動作可能となるというのが本発明の原理である。
【００１８】
次に、図２ないし図５を用いて本実施形態のゲートウェイの各部の構成とクロック生成の方法について説明する。図２は、ゲートウェイの機能ブロック図である。図３は、アナログフィルタ部２０５によるフィルタリング処理を説明する図である。図４は、マスタクロック選択部２０７の機能ブロック図である。図５は、ゲートウェイの構成情報の例を示す図である。
【００１９】
ここで、説明の便宜上、図１でのゲートウェイ１０１、１０２、１０３のうち、図２に示されるゲートウェイを、自ゲートウェイ２１０とし、自ゲートウェイ２１０ではないその他のゲートウェイを、他ゲートウェイ２１１とする。
【００２０】
自ゲートウェイ２１０は、図２に示されるように、発振器起動部２０１、発振器部２０２、正弦波送信部２０３、正弦波受信部２０４、アナログフィルタ部２０５、方形波変換部２０６、マスタクロック選択部２０７、スケーラ部２０８、データ通信送受信部２０９からなる。
【００２１】
正弦波受信部２０４は、自ゲートウェイ２１０及び他ゲートウェイ２１１の正弦波送信部２０３から送信された正弦波（合成信号）を受信し、アナログフィルタ部２０５へ送信する。
【００２２】
正弦波送信部２０３は、発振器部２０２から送信された正弦波を受信し、抵抗２２０を介して、自ゲートウェイ２１０及び他ゲートウェイ２１１の正弦波受信部２０４へ送信する。
【００２３】
アナログフィルタ部２０５は、帯域の異なる複数のアナログフィルタ２３０の集合部である。アナログフィルタ部２０５は、正弦波受信部２０４から送信された正弦波の合成信号を受信し、各周波数に対応したアナログフィルタ２３０を用いて合成信号から単一周波数の正弦波を抽出し、それぞれの単一周波数の正弦波を方形波変換部２０６へ送信する。
【００２４】
方形波変換部２０６は、アナログフィルタ部２０５から送信された各正弦波を方形波に変換し、マスタクロック選択部２０７へ送信する。
【００２５】
マスタクロック選択部２０７は、方形波変換部２０６から送信された方形波を受信し、方形波の立ち上がりでカウントアップするカウンタを用いて周波数が最も高い方形波を選択し、それをマスタクロックとし、マスタクロック及びマスタクロック周波数情報をスケーラ部２０８へ送信する。
【００２６】
発振器起動部２０１には、図５に示される発信周波数情報２１３とデータ送受信停止要求可否情報２１４が構成情報として設定されており、発振器起動部２０１は、発信周波数情報２１３に基づき発振器部２０２の一つ発信器２４０に対し、起動を行う。また、発信周波数情報２１３及びデータ送受信停止要求可否情報２１４を、マスタクロック選択部２０７に送信する。
【００２７】
図５（ａ）に示される発信周波数情報２１３は、自ゲートウェイ２１０の発振器部２０２に送信する正弦波の発振周波数であり、同一システム内の複数のゲートウェイで同一周波数に設定されないように設定されている。また、図５（ｂ）に示されるデータ送受信停止要求可否情報２１４は、自ゲートウェイ２１０に異常があったときに、データ送受信停止要求をするか否かを示すフラグであり、マスタクロック選択部２０７からのデータ送受信停止要求発行の可否が設定されている。
【００２８】
発振器部２０２は、発振周波数が異なる複数の発振器２４０の集合部である。発振器起動部２０１から送信された起動命令により、当該発振器２４０のうち１台が起動する。起動された発振器２４０は、その発振周波数の正弦波を正弦波送信部２０３に送信する。
【００２９】
スケーラ部２０８は、マスタクロック選択部２０７から送信されたマスタクロック及びマスタクロックの周波数情報を受信し、マスタクロックをデータ通信送受信部２０９で使用するクロック周波数に変換し、データ通信送受信部２０９へ送信する。
【００３０】
データ通信送受信部２０９は、スケーラ部２０８から送信されたマスタクロックを受信し、このクロックに同期し、ＩＰ網５００とＰＢＸ１０とのデータ通信の送受信を行う。また、マスタクロック選択部２０７から送信されたデータ送受信停止要求により、ＰＢＸ１０とのデータ送受信を停止する。
【００３１】
また、マスタクロック選択部２０７は、発振器起動部２０１から送信された発信周波数情報２１３に基づき、自ゲートウェイの正弦波から生成された方形波がマスタクロック選択部２０７へ到達しているか否かを検知可能である。また、自ゲートウェイ２１０の正弦波送信部２０３から送信された正弦波から生成された方形波以外の方形波が、一つも自ゲートウェイ２１０のマスタクロック選択部２０７へ到達していないと判定した場合、又は全ての方形波が自ゲートウェイ２１０のマスタクロック選択部２０７へ到達していないと判定した場合、データ通信送受信部２０９に対して、データ送受信停止要求を送信可能である。自ゲートウェイ２１０の正弦波送信部２０３から送信された正弦波から生成された方形波以外の方形波が、一つも自ゲートウェイ２１０のマスタクロック選択部２０７へ到達していないと判定した場合、又は全ての方形波が自ゲートウェイ２１０のマスタクロック選択部２０７へ到達していないと判定した場合にデータ通信送受信部２０９に対して、データ送受信停止要求を送信するかしないかは、発振器起動部２０１から送信されたデータ送受信停止要求可否情報２１４で設定されており、それに基づき動作する。なお、このマスタクロック選択部２０７の動作については、後にフローチャートにより詳細に説明する。
【００３２】
次に、図３を用いてアナログフィルタ部２０５によるフィルタリング処理について説明する。
【００３３】
正弦波の合成信号４０１は、アナログフィルタ部２０５に入力されて、アナログフィルタ部２０５の帯域の異なる複数のアナログフィルタ２３０により、図３に示されるように、合成信号から単一周波数の正弦波４０２、４０３、４０４を抽出する。
【００３４】
次に、図４を用いてマスタクロック選択部２０７の機能と動作について説明する。
【００３５】
マスタクロック選択部２０７の方形波カウンタ部３０１は、方形波変換部２０６から方形波を受信して、その方形波の立ち上がりでカウントアップする方形波カウンタ３１０の集合部である。方形波カウンタ部３０１は、各方形波カウンタ３１０のカウンタ値をカウンタ比較部３０２へ送信する。また、カウンタ比較部３０２から送信されたカウンタリセットの信号が送られたときには、カウンタ値をリセットする。
【００３６】
カウンタ比較部３０２は、方形波カウンタ部３０１から受信した各カウンタ値を一定時間間隔で比較し、カウンタ値が最大であった方形波カウンタの情報をマスタクロック周波数情報として方形波選択部３０３及びスケーラ部２０８へ送信する。そして、比較後、方形波カウンタ部３０１にカウンタリセットを送信する。
【００３７】
方形波選択部３０３は、カウンタ比較部３０２から送信されたマスタクロック周波数情報対応した方形波を選択し、マスタクロックとしてスケーラ部２０８に送信する。また、発振器起動部２０１から送信された発信周波数情報２１３に基づいて、自ゲートウェイ２１０の正弦波送信部２０３から送信された正弦波から生成された方形波がマスタクロック選択部２０７へ到達しているか否かを検知する。また、自ゲートウェイ２１０の正弦波送信部２０３から送信された正弦波から生成された方形波以外の方形波が、一つも自ゲートウェイ２１０のマスタクロック選択部２０７へ到達していないと判定した場合、又は、全ての方形波が自ゲートウェイ２１０のマスタクロック選択部２０７へ到達していないと判定した場合、データ通信送受信部２０９に対して、データ送受信停止要求を送信する。この場合に、データ通信送受信部２０９に対して、データ送受信停止要求を送信するかしないかのオプションは、発振器起動部２０１から送信されたデータ送受信停止要求可否情報２１４で設定されており、それに基づき動作する。
【００３８】
次に、図６を用いてマスタクロック選択部２０７で故障検出の処理について説明する。図６は、マスタクロック選択部２０７で故障検出の処理を示すフローチャートである。
【００３９】
マスタクロック選択部２０７は、全ての方形波を受信したか否かを判定する（Ｓ８０１）。全ての方形波が受信されていないとき（Ｓ８０１：Ｙｅｓ）、正弦波受信部２０４が故障したことを検出する（Ｓ８０４）。
【００４０】
次に、方形波を受信したものがある場合（Ｓ８０１：Ｎｏ）、自ゲートウェイ２１０以外の全ての方形波を受信したか否かを判定する（Ｓ８０２）。自ゲートウェイ２１０以外の全ての方形波を受信していないときには（Ｓ８０２：Ｙｅｓ）、クロック線１０４の断線を検出する（Ｓ８０８）。
【００４１】
自ゲートウェイ２１０以外の方形波を受信しているときには（Ｓ８０２：Ｎｏ）、次に自ゲートウェイ２１０の方形波を受信したか否かを判定する（Ｓ８０３）。
【００４２】
自ゲートウェイ２１０の方形波を受信しているときには（Ｓ８０３：Ｎｏ）、正常であり、Ｓ８０１に戻る。自ゲートウェイ２１０の方形波を受信していないときには（Ｓ８０３：Ｙｅｓ）、正弦波送信機２０３が故障したことを検出する（Ｓ８０７）。
【００４３】
Ｓ８０４で正弦波受信部２０４が故障したことを検出したとき、Ｓ８０８でクロック線１０４の断線を検出したとき、データ送受信停止要求が可となっているか否かを判定する（Ｓ８０５）。データ送受信停止要求が可否は、発振器起動部２０１から送信されたデータ送受信停止要求可否情報２１４により判定される。データ送受信停止要求が可となっているときには（Ｓ８０５：Ｙｅｓ）、データ送受信部２０９に対して、データ送受信停止要求を発行する（Ｓ８０６）。
【００４４】
これにより、自ゲートウェイ２１０は、ＰＢＸ１０に対してデータの送受信が行われないことになる。ＰＢＸ１０は、そのゲートウェイからデータの送受信が行われないことを検知して、クロックの切り替えのトリガーとすることができる。
【００４５】
次に、図７を用いてゲートウェイのマスタクロック設定の処理について説明する。
【００４６】
図７は、ゲートウェイのマスタクロック設定の処理を示すフローチャートである。
【００４７】
自ゲートウェイ２１０は、図２で示した構成により、正弦波の最高周波数にマスタクロックを設定する（Ｓ６０１）。
【００４８】
そして、正弦波の合成信号内の最高周波数が変わったときには（Ｓ６０２）、再びＳ６０１により、マスタクロックを設定しなおす。
【００４９】
以上のゲートウェイの構成と動作に基づき、上記の図１ないし図８を用いて各場合においてのシステム動作について説明する。
【００５０】
図８は、一実施形態に係るＶｏＩＰゲートウェイ装置が用いられるシステム構成において、ゲートウェイを追加した場合のシステム構成図である。
【００５１】
なお、ここで「マスタゲートウェイ」とは、マスタクロックとして採用されている周波数を発振周波数（図５（ａ））とするゲートウェイであり、それ以外を「スレーブゲートウェイ」という。
（Ｃａｓｅ１）    マスタゲートウェイの故障
ゲートウェイ３（１０３）がマスタゲートウェイとして動作していて、ゲートウェイ３（１０３）の正弦波送信部２０３が正弦波を各ゲートウェイ１０１、１０２、１０３へ送信できなくなったとする。
【００５２】
このときには、ゲートウェイ１（１０１）及びゲートウェイ２（１０２）内部のマスタクロック選択部２０７にて、ゲートウェイ３（１０３）の正弦波送信部２０３から送信された正弦波から生成された方形波が受信できなくなり、最高周波数が変化するため（図７のＳ６０２）ゲートウェイ１（１０１）及びゲートウェイ２（１０２）のマスタクロック選択部２０７にてゲートウェイ１（１０１）及びゲートウェイ２（１０２）の正弦波送信部２０３から出力された正弦波から生成された方形波の内、周波数が最も高い方形波をマスタクロックとして選択し直す（図７のＳ６０１）。
（Ｃａｓｅ２）    スレーブゲートウェイの故障
ゲートウェイ３（１０３）がスレーブゲートウェイとして動作していて、ゲートウェイ３（１０３）の正弦波送信部２０３が正弦波を各ゲートウェイ１０１、１０２、１０３へ送信できなくなったとする。
【００５３】
このときには、ゲートウェイ１（１０１）及びゲートウェイ２（１０２）内部のマスタクロック選択部２０７にてゲートウェイ３（１０３）の正弦波送信部２０３から送信された正弦波から生成された方形波が受信できなくなる。この場合はゲートウェイ３（１０３）が故障する前まで、ゲートウェイ３（１０３）の正弦波送信部２０３から送信されていた正弦波から生成されていた方形波より、ゲートウェイ１（１０１）又はゲートウェイ２（１０２）の正弦波送信部２０３から出力された正弦波から生成された方形波の方が周波数が高いため、ゲートウェイ１（１０１）及びゲートウェイ２（１０２）のマスタクロック選択部２０７にてマスタクロックを切替える動作は発生せず、マスタクロックはゲートウェイ３（１０３）が故障する前と同様となる。
（Ｃａｓｅ３）    マスタゲートウェイの復旧
ゲートウェイ３（１０３）がマスタゲートウェイとして動作していて、ゲートウェイ３（１０３）の正弦波送信部２０３が正弦波を各ゲートウェイ１０１、１０２、１０３へ送信できなくなった後、修理や自然復旧等で正弦波を各ゲートウェイ１０１、１０２、１０３へ送信できるようになったとする。
【００５４】
このとき、各ゲートウェイ１０１、１０２、１０３内部のマスタクロック選択部２０７にてゲートウェイ３（１０３）の正弦波送信部２０３から送信された正弦波から生成された方形波を受信し始める。この場合、ゲートウェイ１（１０１）及びゲートウェイ２（１０２）の正弦波送信部２０３から出力された正弦波から生成された方形波よりも復旧したゲートウェイ３（１０３）の正弦波送信部２０３から送信された正弦波から生成された方形波の方が周波数が高いため、ゲートウェイ１（１０１）及びゲートウェイ２（１０２）のマスタクロック選択部２０７にてゲートウェイ３（１０３）の正弦波送信部２０３から送信された正弦波から生成された方形波をマスタクロックとして選択し直す（図７のＳ６０１）。また、ゲートウェイ３（１０３）のマスタクロック選択部２０７でもゲートウェイ３（１０３）の正弦波送信部２０３から送信された正弦波から生成された方形波をマスタクロックとして選択する（図７のＳ６０１）。
（Ｃａｓｅ４）    スレーブゲートウェイの復旧
ゲートウェイ３（１０３）がスレーブゲートウェイとして動作していて、ゲートウェイ３（１０３）の正弦波送信部２０３が正弦波を各ゲートウェイ１０１、１０２、１０３へ送信できなくなった後、修理や自然復旧等で正弦波を各ゲートウェイ１０１、１０２、１０３へ送信できるようになったとする。
【００５５】
このとき、各ゲートウェイ１０１、１０２、１０３内部のマスタクロック選択部２０７にてゲートウェイ３（１０３）の正弦波送信部２０３から送信された正弦波から生成された方形波を受信し始める。この場合、ゲートウェイ３（１０３）の正弦波送信部２０３から送信された正弦波から生成された方形波よりも、ゲートウェイ１（１０１）又はゲートウェイ２（１０２）の正弦波送信部２０３から出力された正弦波から生成された方形波の方が周波数が高いため、ゲートウェイ１（１０１）及びゲートウェイ２（１０２）のマスタクロック選択部２０７にてマスタクロックを切替える動作は発生せず、マスタクロックは、ゲートウェイ３（１０３）が故障から復旧する前と同様となる。また、ゲートウェイ３（１０３）のマスタクロック選択部２０７でもゲートウェイ３（１０３）が故障から復旧する前にゲートウェイ１（１０１）又はゲートウェイ２（１０２）のマスタクロック選択部２０７で選択していた方形波の周波数と同様の周波数の方形波をマスタクロックとして選択する（図７のＳ６０１）。
（Ｃａｓｅ５）    ゲートウェイの追加→追加したゲートウェイがマスタゲートウェイになる
図８に示されるように、ゲートウェイ４（１０５）を追加して、かつ、追加したゲートウェイ４（１０５）の正弦波送信部２０３が送信する正弦波の周波数が他ゲートウェイの正弦波送信部２０３が送信する正弦波の周波数より高いものとする。
【００５６】
このときには、各ゲートウェイ１０１、１０２、１０３、１０５内部のマスタクロック選択部２０７にてゲートウェイ４（１０５）の正弦波送信部２０３から送信された正弦波から生成された方形波を受信し始める。ゲートウェイ４（１０５）の正弦波送信部２０３が送信する正弦波の周波数がゲートウェイ１（１０１）、ゲートウェイ２（１０２）ないしゲートウェイ３（１０３）の正弦波送信部２０３が送信する正弦波の周波数より高い場合、各ゲートウェイ１０１、１０２、１０３、１０５内部のマスタクロック選択部２０７にてゲートウェイ４（１０５）の正弦波送信部２０３から送信された正弦波から生成された方形波をマスタクロックとして選択する（図７のＳ６０１）。
（Ｃａｓｅ５）    ゲートウェイの追加→追加したゲートウェイがスレーブゲートウェイになる
図８に示されるように、ゲートウェイ４（１０５）を追加して、かつ、追加したゲートウェイ４（１０５）の正弦波送信部２０３が送信する正弦波の周波数が他ゲートウェイの正弦波送信部２０３が送信する正弦波の周波数のいずれかより低いものとする。
【００５７】
このときには、各ゲートウェイ１０１、１０２、１０３、１０５内部のマスタクロック選択部２０７にてゲートウェイ４（１０５）の正弦波送信部２０３から送信された正弦波から生成された方形波を受信し始める。ゲートウェイ４（１０５）の正弦波送信部２０３が送信する正弦波の周波数がゲートウェイ１（１０１）、ゲートウェイ２（１０２）ないしゲートウェイ３（１０３）のいずれかの正弦波送信部２０３が送信する正弦波の周波数より低い場合、ゲートウェイ１（１０１）、ゲートウェイ２（１０２）ないしゲートウェイ３（１０３）内部のマスタクロック選択部２０７にてマスタクロックを切替える動作は発生せず、マスタクロックはゲートウェイ４（１０５）を追加する前と同様となる。また、ゲートウェイ４（１０５）のマスタクロック選択部２０７でもゲートウェイ４（１０５）を追加する前に、ゲートウェイ１（１０１）ないしゲートウェイ３（１０３）のマスタクロック選択部２０７で選択していた方形波の周波数と同様の周波数の方形波をマスタクロックとして選択する（図７のＳ６０１）。
【００５８】
以上の本実施形態の構成では、図２に示される自ゲートウェイ２１０のマスタクロック選択部２０７において、「周波数が最も高い方形波」を選択し、システムのゲートウェイのうち、最も高い周波数を、マスタクロックとして選択している。しかしながら、自ゲートウェイ２１０のマスタクロック選択部２０７において、「周波数が最も低い方形波」を選択するようにしてもよいし、その他、平均周波数を計算するなど、各ゲートウェイの合成信号から一意的に定まるよう周波数を定めるようにしてもよい。
【符号の説明】
【００５９】
１０…ＰＢＸ
１２…電話機
１０１…ゲートウェイ１
１０２…ゲートウェイ２
１０３…ゲートウェイ３
１０４…クロック線
１０５…ゲートウェイ４
２０１…発振器起動部
２０２…発振器部
２０３…正弦波送信部
２０４…正弦波受信部
２０５…アナログフィルタ部
２０６…方形波変換部
２０７…マスタクロック選択部
２０８…スケーラ部
２０９…データ送受信部
２１０…自ゲートウェイ
２１１…他ゲートウェイ
２１３…発信周波数情報
２１４…データ送受信停止要求可否情報
２３０…アナログフィルタ
２４０…発振器
３０１…方形波カウンタ部
３０２…カウンタ比較部
３０３…方形波選択部
４０１…正弦波の合成信号
４０２…単一周波数の正弦波１ｋＨｚ
４０３…単一周波数の正弦波３ｋＨｚ
４０４…単一周波数の正弦波５ｋＨｚ
５００…ＩＰ網
５０１…Ｅｔｈｅｒｎｅｔ
５０２…データ線
【図１】
2017017632.tif 000003
【図２】
2017017632.tif 000004
【図３】
2017017632.tif 000005
【図４】
2017017632.tif 000006
【図５】
2017017632.tif 000007
【図６】
2017017632.tif 000008
【図７】
2017017632.tif 000009
【図８】
2017017632.tif 000010